(57)【要約】【課題】本発明は、従来の警報機のように、ガス（ＬＰＧとＬＮＧ）だけの警報機ではなく、大気中の酸素又は一酸化炭素又はホルムアルデヒドを感知すると共に測定し危険を知らせる事で、事故及び病気等を未然に防ぎ常に安全の確保を図ろうとするものである。【解決手段】解決の手段として、本発明の大気計は、大気中の酸素又は一酸化炭素又はホルムアルデヒドを感知し、指定成分の有無及び危険を表示板上の濃度針と警報メッセージの２通りの方法で、危険を知らせ安全の確保を図るための手段を備えた警報装置。【選択図】    図２
2004171166.tif 000002
【特許請求の範囲】
【請求項１】
大気中の中から酸素又は一酸化炭素又はホルムアルデヒドを感知する警報装置を特徴とする大気計。
【請求項２】
設定値以上の、前記の酸素又は一酸化炭素又はホルムアルデヒドを検出した時に、表示板上に濃度を針で示すと共に、警報メッセージによる警報を発生させる請求項１記載の大気計。
【請求項３】
前記の酸素又は一酸化炭素又はホルムアルデヒドの警報装置を１つのケースに納めた請求項１及び２記載の大気計。
【発明の詳細な説明】
【０００１】
【発明の属する技術分野】
本発明の大気計は、大気中の中の酸素又は一酸化炭素又はホルムアルデヒドを感知し濃度を監視し安全を図ろうとする警報装置類に関する。
【０００２】
【従来の技術】
従来の一般家庭の警報装置はガス（ＬＰＧとＬＮＧ）だけに対しての対処方であり、大気中の他の成分に関しては一切対処されていません。（例えば、特許文献１参照。）
【０００３】
【特許文献１】
特開２００２−２７９５５５号公報（第２頁、第１図）。
【０００４】
【発明が解決しようとする課題】
本発明の大気計は、ガス（ＬＰＧとＬＮＧ）だけにこだわることなく、大気中の酸素又は一酸化炭素又はホルムアルデヒドを必要な場所に応じ、指定成分警報装置を使う事でガス以外の成分による事故及び病気等を未然に防ぎ常に安全の確保を図ろうとすることを目的とするものである。
【０００５】
【課題を解決するための手段】
この課題を解決する手段として、本発明の大気計は、大気中の酸素又は一酸化炭素又はホルムアルデヒドを感知する警報装置を有する大気計に係わる。
【０００６】
そして、請求項１記載の大気計は、設定値以上の酸素又は一酸化炭素又はホルムアルデヒドを検出した時に、濃度を針で示すと共に、警報メッセージによる警報を発生させても良い。なお、本発明における指定成分の設定値とは、酸素は空気中の濃度２０％、一酸化炭素は空気中の濃度０．２％、ホルムアルデヒドは室内空気中の濃度０．０８ｐｐｍである。
【０００７】
さらに請求項１又は２記載の大気計は、酸素又は一酸化炭素又はホルムアルデヒドの警報装置を１つのケースに納める事で多機能化を図る事が出来る。
【０００８】
【発明の実施の形態】
以下、本発明の実施の形態を実施例となる図１〜図５に基づいて説明する。
【０００９】
酸素又は一酸化炭素又はホルムアルデヒド（以下指定成分と称する。）
【００１０】
本発明の大気計は、図１に示す様にカバー１を設けカバー１の下方に赤外線センサーを保護するカバー２と上方に表示板３を有しており、表示板３には各指定成分の名称と濃度針４を有しガラス板５で保護され、表示板３の下方には通電状況がわかる様に通電ランプ６を設けている。
【００１１】
又図２は、内部の配置で各指定成分専用のマイコンピュータ（以下マイコンと称する）７を基盤８の中程に取り付けており、各指定成分専用マイコン７の下方に各指定成分専用赤外線センサー８を有し、各指定成分専用マイコン７の上方には、濃度針４を有している。
【００１２】
図３は、側面断面で、基盤９の下方にバックアップ電池１０を有しており、基盤９中程には警報メッセージを発する為のスピーカー１１と上方に本発明の大気計本体を壁付けする為の取り付け穴１２を設けている。
【００１３】
又、各指定成分警報装置のシステムは、以下図５を参照して説明する。
【００１４】
酸素警報装置は、酸素検出部を備えた赤外線センサー１３が酸素を感知し、基準点（日本工業規格の１８％）を設定したマイコン１４に情報を送る、基準点の設定を基準にマイコン１４は、濃度を測定し、濃度数を電気信号に変え表示板上に設けている濃度針１５を濃度分動かす。
【００１５】
又濃度針１５が、表示板上の基準点１８％を境にした警報領域を指した時、マイコン１４から音声ＩＣ１６に、警報メッセージ発令の信号を送る。
【００１６】
警報メッセージ発令の信号を受けた音声ＩＣ１６は、フィルター１７アンプ１８を通りスピーカー１９から（例：酸素不足です換気して下さい）と音声で警報メッセージを流す。
【００１７】
又一酸化炭素警報装置及びホルムアルデヒド警報装置は共に上記記載の酸素警報装置と警報システムは類似するが、異なる点を下記に記載する。
【００１８】
一酸化炭素警報装置の警報システムが上記記載の酸素警報装置の警報システムと異なる点は、一酸化酸素検出部を備えた赤外線センサー１３及びマイコン１４の基準点の設定を一酸化炭素（以下ＣＯと称する）の基準点（酸素中のＣＯ濃度０．２％）と設定する。
【００１９】
又音声ＩＣ１６とフルター１７とアンプ１８とスピーカー１９による警報メッセージ（例：一酸化炭素危険換気して下さい）と警報メッセージを流す。
【００２０】
ホルムアルデヒド警報装置の警報システムが上記記載の酸素警報装置の警報システムと異なる点は、ホルムアルデヒド検出部を備えた赤外線センサー１３及びマイコン１４の基準点の設定をホルムアルデヒドの基準点（厚生労働省室内濃度基準０．０８ｐｐｍ）と設定する。
【００２１】
又音声ＩＣ１６とフィルター１７とアンプ１８とスピーカー１９による警報メッセージ（例：ホルムアルデヒド危険換気して下さい）と警報メッセージを流す。
【００２２】
【発明の効果】
本発明の大気計は、大気中の中から請求項１記載の指定成分を検出する赤外線センサーと指定成分を測定するマイコンを３個配列しているため、一般家庭から公共の場又職場と幅広い場所及び分野で使用出来る。
【００２３】
本発明の大気計を、前記記載の場所に設置することで、今まで知る事の出来なかった大気中の指定成分の有無が誰でも公平に知ることができる。
【００２４】
今までのように事が起きて原因を捜すのではなく、事を未然に防ぐための警報装置として前記記載の場所のように幅広い場所に設置できる。
【００２５】
本発明の大気計を用いる事で、請求項１記載の指定成分をいち早く確認し、それに適した対処法を用いる事で、身体の危険を最小限度にくい止める事ができる。
【図面の簡単な説明】
【図１】本発明の大気計の外観正面図である。
【図２】本発明の大気計の内部正面図である。
【図３】本発明の大気計の側面断面図である。
【図４】本発明の大気計の外観側面図である。
【図５】本発明の大気計の警報システム図である。
【符号の説明】
１    カバー
２    赤外線センサー保護カバー
３    表示板
４    濃度針
５    ガラス板
６    通電ランプ
７    マイクロコンピューター
８    指定成分感知赤外線センサー
９    基盤（裏カバー）
１０  バックアップ電池
１１  スピーカー
１２  取り付け穴
【図１】
2004171166.tif 000003
【図２】
2004171166.tif 000004
【図３】
2004171166.tif 000005
【図４】
2004171166.tif 000006
【図５】
2004171166.tif 000007